【手続補正書】
【提出日】平成16年12月16日(2004.12.16)
【手続補正１】
【補正対象書類名】明細書
【補正対象項目名】特許請求の範囲
【補正方法】変更
【補正の内容】
【特許請求の範囲】
【請求項１】  複数の電話機を具えた加入者電話システムが結合された複数の外部電話回線の中の１回線上で会議電話が進行しているときに、前記複数の外部電話回線の中の前記１回線上の着信呼に応答する方法であって、
前記着信呼に関係する発呼者識別情報を受信するステップと、
前記着信呼が受信されたことを、会議電話に関わる複数の電話機に通知するステップと、
前記複数の電話機の中の１つの制御電話機から、コールバックによって前記着信呼に応答せよという命令を受取るステップと、
発呼者に電話を切るよう要請する予め録音されたメッセージを、前記着信呼の発呼者に送るステップと、
前記着信呼に関係する前記発呼者識別情報を用いて、前記複数の外部電話回線の中の使用されていない１回線上で前記着信呼の前記発呼者に対してコールバックを設定するステップと、
前記会議電話に関わる前記複数の電話機の中の前記制御電話機を前記コールバック外部電話回線に接続するステップと、
を含む、着信呼に応答する方法。
【請求項２】  前記コールバックが終了したときに、前記複数の電話機の中の前記制御電話機を前記会議電話に再接続するステップをさらに含む、請求項１に記載の着信呼に応答する方法。
【請求項３】  発呼者識別情報を受信する前記ステップは、
前記複数の外部電話回線に結合された中央局からの非音声信号を求めて、前記複数の外部電話回線の中の前記１回線をモニタするステップと、
顧客構内装置警報信号を検出するステップと、
前記会議電話を消音するステップと、
前記中央局に肯定応答信号を送るステップと、
前記発呼者識別情報を含むデータ・バーストを受信するステップと、
前記会議電話の消音を解除するステップと、
前記発呼者識別を記憶するステップと、
を含む、請求項１に記載の着信呼に応答する方法。
【請求項４】  前記予め録音されたメッセージを送る前記ステップは、
前記会議電話を中断するステップと、
前記着信呼の前記発呼者に前記予め録音されたメッセージを送るステップと、
前記着信呼を終了させるステップと、
前記会議電話を再開するステップと、
を含む、請求項１に記載の着信呼に応答する方法。
【請求項５】  命令を受取る前記ステップは、
前記複数の電話機の中の２つ以上が前記通知に応答するかどうかを判断するステップと、
前記複数の電話機の中の２つ以上が前記通知に応答した場合には、前記複数の電話機の中の前記２つ以上の電話機の中の１つを前記制御電話機として選択するステップと、
前記制御電話機から命令を受取るステップと、
を含む、請求項１に記載の着信呼に応答する方法。
【請求項６】  前記加入者電話システムはさらに親機を具えるものであり、前記複数の電話機を９００ＭＨｚ無線周波数リンクを介して前記親機に接続するステップをさらに含む、請求項１に記載の着信呼に応答する方法。
【請求項７】  複数の外部電話回線のソースと複数の電話機とを有する加入者電話システムの親機であって、
前記親機は、前記外部電話回線ソースと前記複数の電話機の間に結合されており、
前記親機は、
複数の電話機と複数の外部電話回線の中の１回線とが関わる会議電話を設定する会議電話回路と、
前記複数の外部電話回線の中の前記１回線に結合されていて、着信呼に関係する発呼者識別情報を受信する発呼者識別回路と、
前記着信呼が受信されたことを前記複数の電話機に通知するコール・ウェイティング回路であって、
前記コール・ウェイティング回路は、前記複数の電話機の中の１つの制御電話機から、コールバックによって前記着信呼に応答せよという命令を受取る、前記コール・ウェイティング回路と、
さらに、発呼者に電話を切るよう要請する予め録音されたメッセージを前記着信呼の発呼者に送る音声メッセージ回路と、
前記着信呼に関係する前記発呼者識別情報を用いて、前記複数の外部電話回線の中の使用されていない１回線上で、前記着信呼の前記発呼者に対してコールバックを設定し、前記複数の電話機の中の前記制御電話機を前記コールバック外部電話回線に接続するコールバック回路と、
を具える、前記親機。
【請求項８】  前記発呼者識別回路は、
前記複数の外部電話回線に結合された中央局からの非音声信号を求めて、前記複数の外部電話回線の中の前記１回線をモニタする回路と、
顧客構内装置警報信号を検出する回路と、
前記会議電話を消音する回路と、
前記中央局に肯定応答信号を送る回路と、
前記発呼者識別情報を含むデータ・バーストを受信する回路と、
前記発呼者識別情報を記憶するメモリと、
前記会議電話の消音を解除する回路と、
を具える、請求項７に記載の親機。
【請求項９】  前記コールバック回路は、前記メモリから前記発呼者識別情報を検索する回路を具える、請求項８に記載の親機。
【請求項１０】  前記コール・ウェイティング回路は、
前記複数の電話機の中の２つ以上が前記通知に応答するかどうかを判断する回路と、
前記複数の電話機の中の２つ以上が前記通知に応答した場合には、前記複数の電話機の中の前記２つ以上の電話機の中の１つを前記制御電話機として選択する回路と、
前記制御電話機から命令を受取る回路と、
を具える、請求項７に記載の親機。
【請求項１１】  前記音声メッセージ回路は、
前記予め録音されたメッセージを表すデータを記憶するメモリと、
前記会議電話を中断する回路と、
前記メモリからメッセージを表すデータを取出す回路と、
前記メッセージを表すデータをオーディオ・メッセージ信号に変換する回路と、
前記着信呼の前記発呼者に前記オーディオ・メッセージ信号を送る回路と、
前記着信呼を終了させる回路と、
前記会議電話を再開する回路と、
を具える、請求項７に記載の親機。
【請求項１２】  前記コールバックが終了したときに、前記複数の電話機の中の前記制御電話機を前記会議電話に再接続する回路を具える、請求項７に記載の親機。
【請求項１３】  前記会議電話回路、前記コール・ウェイティング回路、前記音声メッセージ回路および前記コールバック回路は、マイクロプロセッサにおいて構成される、請求項７に記載の親機。
【請求項１４】  前記親機および前記複数の電話機の各々は、前記電話機を前記親機に接続する９００ＭＨｚ無線周波数送受信機を具える、請求項７に記載の親機。
【手続補正２】
【補正対象書類名】明細書
【補正対象項目名】０００２
【補正方法】変更
【補正の内容】
【０００２】
従来の技術
図１は、加入者電話システムのブロック図である。図１において、複数の双方向外部電話回線５が顧客構内装置（ＣＰＥ、契約者宅内設備、Ｃｕｓｔｏｍｅｒ  Ｐｒｅｍｉｓｅｓ  Ｅｑｕｉｐｍｅｎｔ）３０と称する電話システムの対応する各端子に結合される。また、ＣＰＥ３０は、複数のハンドセット（ｈａｎｄｓｅｔ：電話機、子機、携帯電話）２０に双方向結合される。ハンドセット２０は、標準電話線（ワイヤ）を介して、またはＣＰＥ３０およびハンドセット２０における各無線（ｗｉｒｅｌｅｓｓ  ｒａｄｉｏ）送受信機（トランシーバ：ｔｒａｎｓｃｅｉｖｅｒ）を介して、または有線および無線リンクの組合せを介して、ＣＰＥ３０に結合されてもよい。
【手続補正３】
【補正対象書類名】明細書
【補正対象項目名】００１４
【補正方法】変更
【補正の内容】
【００１４】
発明の概要
本発明の原理による、複数の外部電話回線の中の１回線上で会議電話が進行しているときに、その外部電話回線上の着信呼に応答する方法は、次の各ステップを含む。最初に、その着信呼に関係するモードＩＩ発呼者ＩＤ情報を受信する。次いで、着信呼が受信された（生じた）ことを会議電話に関わる複数のハンドセットに通知する。その着信（電話）呼に応答することが望ましい場合には、発呼者にハングアップする（ｈａｎｇ  ｕｐ：受話器を置く、電話を切る）よう要請する予め録音されたメッセージを着信呼の発呼者に送る。次いで、その着信呼に関係する前に受信した発呼者識別情報が用いられて、その着信呼の発呼者は、使用されていない外部電話回線上でコールバックを受ける。最後に、会議電話に関わる複数の電話回線の中の１つをその着信呼の発呼者に接続する。
【手続補正４】
【補正対象書類名】明細書
【補正対象項目名】００１５
【補正方法】変更
【補正の内容】
【００１５】
本発明の別の特徴によれば、加入者電話システムは、複数の外部電話回線のソース（源）と、複数のハンドセットと、その外部電話回線ソースとハンドセットの間に結合されたベースユニット（ｂａｓｅ  ｕｎｉｔ：親機）とを含む。それらのハンドセットと外部回線の中の１つとが関わる会議電話を設定するベースユニットにおける会議電話回路が設けられている。発呼者識別回路は、外部電話回線に接続されており、会議電話回線上の着信（電話）呼に関係する発呼者識別情報を受信する。コール・ウェイティング回路は、着信呼を受信した（生じた）という通知をハンドセットに送り、制御ハンドセットから、コールバックによって着信呼に応答せよという命令を受取る。音声メッセージ回路は、発呼者にハングアップ（オンフック）するよう要請する予め録音されたメッセージを、着信呼の発呼者に送る。コールバック回路は、発呼者識別情報を用いて、使用されていない回線上でその着信呼の発呼者に対してコールバックを設定し、制御ハンドセットをそのコールバック回線に接続する。
【手続補正５】
【補正対象書類名】明細書
【補正対象項目名】００１６
【補正方法】変更
【補正の内容】
【００１６】
本発明による多回線加入者電話システムは、会議電話が不当に邪魔されることなく、また中央局になんら変更を要することなく、会議電話を支持（搬送）する外部電話回線に対してコール・ウェイティング機能を実行する。
請求の範囲と実施例との対応関係を図面で使われている参照番号で示すと次の通りである。
（請求項１）  複数の電話機（２０）を具えた加入者電話システム（１０）が結合された複数の外部電話回線の中の１回線上で会議電話が進行しているときに、前記複数の外部電話回線の中の前記１回線上の着信呼に応答する方法であって、
前記着信呼に関係する発呼者識別情報を受信するステップ（１０８）と、
前記着信呼が受信されたことを、会議電話に関わる複数の電話機に通知するステップ（１１２）と、
前記複数の電話機の中の１つの制御電話機から、コールバックによって前記着信呼に応答せよ（２００）という命令を受取るステップ（１１４）と、
発呼者に電話を切るよう要請する予め録音されたメッセージを、前記着信呼の発呼者に送るステップ（２１２）と、
前記着信呼に関係する前記発呼者識別情報を用いて、前記複数の外部電話回線の中の使用されていない１回線上で前記着信呼の前記発呼者に対してコールバックを設定するステップ（２１６）と、
前記会議電話に関わる前記複数の電話機の中の前記制御電話機を前記コールバック外部電話回線に接続するステップ（２１８）と、
を含む、着信呼に応答する方法。
（請求項２）  前記コールバックが終了したときに、前記複数の電話機の中の前記制御電話機を前記会議電話に再接続するステップをさらに含む、請求項１に記載の着信呼に応答する方法。
（請求項３）  発呼者識別情報を受信する前記ステップは、
前記複数の外部電話回線に結合された中央局からの非音声信号を求めて、前記複数の外部電話回線の中の前記１回線をモニタするステップと、
顧客構内装置警報信号を検出するステップと、
前記会議電話を消音するステップと、
前記中央局に肯定応答信号を送るステップと、
前記発呼者識別情報を含むデータ・バーストを受信するステップと、
前記会議電話の消音を解除するステップと、
前記発呼者識別を記憶するステップと、
を含む、請求項１に記載の着信呼に応答する方法。
（請求項４）  前記予め録音されたメッセージを送る前記ステップは、
前記会議電話を中断するステップと、
前記着信呼の前記発呼者に前記予め録音されたメッセージを送るステップと、
前記着信呼を終了させるステップと、
前記会議電話を再開するステップと、
を含む、請求項１に記載の着信呼に応答する方法。
（請求項５）  命令を受取る前記ステップは、
前記複数の電話機の中の２つ以上が前記通知に応答するかどうかを判断するステップと、
前記複数の電話機の中の２つ以上が前記通知に応答した場合には、前記複数の電話機の中の前記２つ以上の電話機の中の１つを前記制御電話機として選択するステップと、
前記制御電話機から命令を受取るステップと、
を含む、請求項１に記載の着信呼に応答する方法。
（請求項６）  前記加入者電話システムはさらに親機を具えるものであり、前記複数の電話機を９００ＭＨｚ無線周波数リンクを介して前記親機に接続するステップをさらに含む、請求項１に記載の着信呼に応答する方法。
（請求項７）  複数の外部電話回線（５）のソースと複数の電話機（２０）とを有する加入者電話システム（１０）の親機（３０）であって、
前記親機は、前記外部電話回線ソースと前記複数の電話機の間に結合されており、
前記親機は、
複数の電話機と複数の外部電話回線（５）の中の１回線とが関わる会議電話を設定する会議電話回路（３８）と、
前記複数の外部電話回線の中の前記１回線に結合されていて、着信呼に関係する発呼者識別情報を受信する（１０８）発呼者識別回路（３９）と、
前記着信呼が受信されたことを前記複数の電話機に通知する（１１２）コール・ウェイティング回路であって、
前記コール・ウェイティング回路は、前記複数の電話機の中の１つの制御電話機から、コールバックによって前記着信呼に応答せよ（２００）という命令を受取る（１１４）、前記コール・ウェイティング回路と、
さらに、発呼者に電話を切るよう要請する予め録音されたメッセージを前記着信呼の発呼者に送る（２１２）音声メッセージ回路（４０、４４）と、
前記着信呼に関係する前記発呼者識別情報を用いて、前記複数の外部電話回線の中の使用されていない１回線上で、前記着信呼の前記発呼者に対してコールバックを設定し（２１６）、前記複数の電話機の中の前記制御電話機を前記コールバック外部電話回線に接続する（２１８）コールバック回路と、
を具える、前記親機。
（請求項８）  前記発呼者識別回路は、
前記複数の外部電話回線に結合された中央局からの非音声信号を求めて、前記複数の外部電話回線の中の前記１回線をモニタする回路と、
顧客構内装置警報信号を検出する回路と、
前記会議電話を消音する回路と、
前記中央局に肯定応答信号を送る回路と、
前記発呼者識別情報を含むデータ・バーストを受信する回路と、
前記発呼者識別情報を記憶するメモリと、
前記会議電話の消音を解除する回路と、
を具える、請求項７に記載の親機。
（請求項９）  前記コールバック回路は、前記メモリから前記発呼者識別情報を検索する回路を具える、請求項８に記載の親機。
（請求項１０）  前記コール・ウェイティング回路は、
前記複数の電話機の中の２つ以上が前記通知に応答するかどうかを判断する回路と、
前記複数の電話機の中の２つ以上が前記通知に応答した場合には、前記複数の電話機の中の前記２つ以上の電話機の中の１つを前記制御電話機として選択する回路と、
前記制御電話機から命令を受取る回路と、
を具える、請求項７に記載の親機。
（請求項１１）  前記音声メッセージ回路は、
前記予め録音されたメッセージを表すデータを記憶するメモリと、
前記会議電話を中断する回路と、
前記メモリからメッセージを表すデータを取出す回路と、
前記メッセージを表すデータをオーディオ・メッセージ信号に変換する回路と、
前記着信呼の前記発呼者に前記オーディオ・メッセージ信号を送る回路と、
前記着信呼を終了させる回路と、
前記会議電話を再開する回路と、
を具える、請求項７に記載の親機。
（請求項１２）  前記コールバックが終了したときに、前記複数の電話機の中の前記制御電話機を前記会議電話に再接続する回路を具える、請求項７に記載の親機。
（請求項１３）  前記会議電話回路、前記コール・ウェイティング回路、前記音声メッセージ回路および前記コールバック回路は、マイクロプロセッサにおいて構成される、請求項７に記載の親機。
（請求項１４）  前記親機および前記複数の電話機の各々は、前記電話機を前記親機に接続する９００ＭＨｚ無線周波数送受信機を具える、請求項７に記載の親機。